(57)【特許請求の範囲】
【請求項１】
一端側に貫通孔が形成された機能部と、
前記機能部を挿入する挿入孔が形成された把持部と、
前記機能部を前記把持部に取り付ける取付け部と、を備えた手動利器であって、
前記挿入孔は、前記把持部に穿設され、前記把持部の一端側に開口する孔であり、
前記把持部は、前記挿入孔の内面に開口する取付け用孔を有し、
前記取付け部は、取付け部本体と、前記貫通孔に挿通し、前記取付け部本体から突出度合が可変になるように突出した嵌合部とを有し、
前記機能部と前記取付け部が前記挿入孔の前記開口から前記挿入孔に挿入されることで、前記嵌合部が、前記貫通孔に挿通され、この貫通孔からの突出部位で前記取付け用孔に嵌合される、
ことを特徴とする手動利器。
【請求項２】
前記把持部は、前記嵌合部を前記取付け用孔から押し出して、前記嵌合部と前記取付け用孔との前記嵌合を解除するための嵌合解除機構を有する、
ことを特徴とする請求項１に記載の手動利器。
【請求項３】
前記嵌合部は、前記取付け部本体から斜め下方向に延びる可撓性を有する突出片と、この突出片の下端に設けられた前記突出部位とを有することを特徴とする請求項1又は２に記載の手動利器。
【請求項４】
前記取付け用孔は、有底孔であり、
前記嵌合解除機構は、前記把持部における前記有底孔の底部に形成された貫通孔である、
ことを特徴とする請求項１から３の何れかに記載の手動利器。
【請求項５】
前記機能部の鞘を更に備え、
前記取付け部本体は、ユーザに押圧可能に形成された操作部を備え、この操作部における前記機能部に面する部位に、機能部と反対方向に操作部を付勢する付勢手段を有するとともに、
前記操作部の前記機能部に面する部位の反対面側に、前記鞘との係合部位が形成され、
前記操作部がユーザに押圧されていない状態で、前記係合部位と前記鞘とが係合され、前記操作部がユーザに押圧されている状態で、前記係合部位と前記鞘との係合が解除される、
ことを特徴とする請求項１から４の何れかに記載の手動利器。
【請求項６】
前記機能部は鋸刃であり、
鋸である、ことを特徴とする請求項１から５の何れかに記載の手動利器。
【発明の詳細な説明】
【技術分野】
【０００１】
本発明は、把持部に対して鋸刃等の機能部が取り付け可能な鋸等の手動利器に関する。
【背景技術】
【０００２】
従来、特許文献１に示すように、把持部に対して鋸刃等の機能部が取り付け可能な鋸等の手動利器が知られている。たとえば、特許文献１の鋸は、グリップが取り付けられたのこ身保持部に対して、のこ身が着脱可能に取り付けられている。のこ身保持部に対するのこ身の取り付け構造は、次のようになっている。のこ身の根元部における幅方向両端に、第１、第２の係止溝が形成されている。のこ身保持部の先端部における幅方向一端には、回転自在に軸止されて起立姿勢と平伏姿勢との間で姿勢を変更可能なトルクハンドルと、トルクハンドルに駆動される係止環とが設けられ、その幅方向他端には、固定支点部が設けられている。のこ身をのこ身保持部に取り付ける場合には、のこ身の第１の係止溝にのこ身保持部の固定支点部を嵌め入れるとともに、のこ身の第２の係止溝にのこ身保持部の係止環を嵌め入れた状態で、起立姿勢のハンドルを平伏姿勢まで回転させることで係止環を駆動させ、係止環と固定支点部とでのこ身をのこ身保持部に固定する。そして、のこ身をのこ身保持部から取り外す場合には、平伏姿勢のハンドルを起立姿勢まで回転させることで係止環を駆動させ、のこ身の第１の係止溝とのこ身保持部の固定支点部との嵌合を解除するとともに、のこ身の第２の係止溝とのこ身保持部の係止環との嵌合を解除する。
【先行技術文献】
【特許文献】
【０００３】
【特許文献１】特開平５−１８５３８１号公報
【発明の概要】
【発明が解決しようとする課題】
【０００４】
上述した従来の鋸では、のこ身（鋸刃）をのこ身保持部（把持部）に取り付けする際に、第１、第２の係止溝に対して、固定支点部及び係止環を嵌め入れて、ハンドルの回転操作をしなければならなかった。このため、鋸刃をのこ身保持部に対して取り付けするための手間がかかり、容易ではなかった。そして、上述した従来の鋸ではトルクハンドルの軸支機構を設けなければならず、のこ身保持部に対するのこ身の取り付け構造が複雑であった。更に、ハンドルが起立姿勢のときには、第１、第２の係止溝に対する固定支点部及び係止環の嵌合が解除可能であり、ハンドルが平伏姿勢のときには、第１、第２の係止溝に対する固定支点部及び係止環の嵌合が解除不可能であるように構成されるため、鋸刃に形成される第１、第２の係止溝の形状も精巧さが要求された。これによっても、のこ身保持部に対するのこ身の取り付け構造は複雑なものになっていた。
【０００５】
そこで、本発明の課題は、上記の問題を解決するために、鋸刃等の機能部の把持部に対する取り付けが容易に出来るとともに、機能部の把持部に対する取付け構造が簡易な手動利器を提供することである。
【課題を解決するための手段】
【０００６】
（１）上記課題を解決するために、本発明に係る手動利器は、一端側に貫通孔（３１）が形成された機能部（３）と、前記機能部（３）を挿入する挿入孔（２Ａ）が形成された把持部（２）と、前記機能部（３）を前記把持部（２）に取り付ける取付け部（４）と、を備えた手動利器であって、前記挿入孔（２Ａ）は、前記把持部（２）に穿設され、前記把持部（２）の一端側に開口する孔であり、前記把持部（２）は、前記挿入孔（２Ａ）の内面に開口する取付け用孔（２２２１）を有し、前記取付け部（４）は、取付け部本体（４Ａ）と、前記貫通孔（３１）に挿通し、前記取付け部本体（４Ａ）から突出度合が可変になるように突出した嵌合部（４２）とを有し、前記機能部（３）と前記取付け部（４）が前記挿入孔（２Ａ）の前記開口から前記挿入孔（２Ａ）に挿入されることで、前記嵌合部（４２）が、前記貫通孔（３１）に挿通され、この貫通孔（３１）からの突出部位（４２２）で前記取付け用孔（２２２１）に嵌合される、ことを特徴とする。
【０００７】
上記構成によれば、取付け部（４）が把持部（２）の挿入孔（２Ａ）に挿入されると、取付け部（４）の嵌合部（４２）が挿入孔（２Ａ）の内面に押圧されて、この嵌合部（４２）の突出度合いが、取付け部（４）の挿入孔（２Ａ）への挿入を妨げない程度になる。そして、機能部（３）と取付け部（４）が把持部（２）の挿入孔（２Ａ）に挿入された状態において、機能部（３）の貫通孔（３１）と把持部（２）の取付け用孔（２２２１）と取付け部（４）の嵌合部（４２）とが重なった状態になると、取付け部（４）の嵌合部（４２）は、挿入孔（２Ａ）の内面に押圧されなくなるため、嵌合部（４２）の突出度合いは、挿入孔（２Ａ）の内面に押圧されていたときより大きくなる。この状態では、取付け部（４）の嵌合部（４２）が機能部（３）の貫通孔（３１）に挿通され、かつ、取付け部（４）における貫通孔（３１）からの突出部位（４２２）が把持部（２）の挿入孔（２Ａ）に形成された取付け用孔（２２２１）に嵌り、取付け部（４）によって機能部（３）が把持部（２）に取り付けられる。これによって、把持部（２）の挿入孔（２Ａ）内に機能部（３）と取付け部（４）とを挿入するだけで、機能部（３）が把持部（２）に取り付けられ、機能部（３）の把持部（２）に対する取り付けを容易に行うことができる。また、取付け部（４）の嵌合部（４２）を、機能部（３）の貫通孔（３１）と把持部（２）の取付け用孔（２２２１）とに嵌合させるだけの簡易な構成で、機能部（３）を把持部（２）に取り付けることができるため、機能部（３）の把持部（２）に対する取付け構造が簡易になる。
【０００８】
（２）上記把持部（２）は、前記嵌合部（４２）を前記取付け用孔（２２２１）から押し出して、前記嵌合部（４２）と前記取付け用孔（２２２１）との前記嵌合を解除するための嵌合解除機構（２２０）を有してもよい。
【０００９】
上記構成によれば、嵌合解除機構（２２０）によって、嵌合部（４２）を取付け用孔（２２２１）から押し出して、嵌合部（４２）と取付け用孔（２２２１）との嵌合を解除することで、機能部（３）の把持部（２）に対する取り外しを行うことができる。このため、嵌合部（４２）を取付け用孔（４２２１）の反対側に押し出す直線的な操作によって、機能部（３）の把持部（２）に対する取り外しを行うことができるよう嵌合解除機構（２２０）を構成することができる。これによって、この取り外しに要求される操作が容易になる。
【００１０】
（３）上記嵌合部は、前記取付け部本体（４Ａ）から斜め下方向に延びる可撓性を有する突出片（４２１）と、この突出片（４２１）の下端に設けられた前記突出部位（４２２）とを有してもよい。
【００１１】
上記構成によれば、取付け部（４）の挿入孔（２Ａ）への挿入によって、挿入孔（２Ａ）の内面で突出部位（４２２）を押圧させて、突出片（４２１）を撓ませて、突出部位（４２２）が取付け用孔（２２２１）の位置に到達するまで取付け部（４）を挿入孔（２Ａ）に挿入させ、突出部位（４２２）が取付け用孔（２２２１）の位置に到達したときに、突出片（４２１）の撓みが解除されて突出部位（４２２）が取付け用孔（２２２１）に嵌め入れられる。同様に、突出片（４２１）を撓ませて突出部位（４２２）を取付け用孔（２２２１）から外し、挿入孔（２Ａ）から取り付け部（４）を取り外すことができる。これによって、簡易な構成で、突出部位（４２２）を取付け用孔（２２２１）に着脱可能にすることができる。更に、突出片（４２１）が斜め下方に延びているため、挿入孔（２Ａ）の挿入方向が下端になるように形成することで、取付け部（４）を挿入孔（２Ａ）から抜き易くし、挿入方向の反対方向が下端になるように突出片（４２１）を形成することで、取付け部（４）を挿入孔（２Ａ）に入れ易くすることができる。
【００１２】
（４）上記取付け用孔（２２２１）は、有底孔であり、上記嵌合解除機構（２２０）は、前記把持部（２）における前記有底孔の底部に形成された貫通孔であってもよい。
【００１３】
上記構成によれば、貫通孔に対して有底孔と反対側から有底孔側に向かって、針やピン等の押し出し部材を貫通孔に挿入することで、嵌合部（４２）を取付け用孔（２２２１）から押し出して、嵌合部（４２）と取付け用孔（２２２１）との嵌合を解除することができる。これによって、嵌合解除機構を、貫通孔を形成するだけの簡易な構造にすることができる。
【００１４】
（５）上記機能部の鞘（５）を更に備え、上記取付け部本体（４Ａ）は、ユーザに押圧可能に形成された操作部（４３）を備え、この操作部（４３）における前記機能部（３）に面する部位に、機能部（３）と反対方向に操作部（４３）を付勢する付勢手段（４３４）を有するとともに、前記操作部（４３）の前記機能部（３）に面する部位の反対面側に、前記鞘（５）との係合部位（４３２）が形成されてもよい。そして、前記操作部（４３）がユーザに押圧されていない状態で、前記係合部位（４３２）と前記鞘（５）とが係合され、前記操作部（４３）がユーザに押圧されている状態で、前記係合部位（４３２）と前記鞘（５）との係合が解除されてもよい。
【００１５】
上記構成によれば、取付け部（４）の操作部（４３）がユーザに押圧されていない状態で、係合部位（４３２）と前記鞘（５）とが係合される。この様に、取付け部（４）を機能部（３）を、把持部（２）に取り付ける構成としてだけでなく、鞘（５）を把持部（２）に固定する構成としても利用することで、別に鞘（５）を把持部（２）に固定する構成を設ける必要がなくなり、鋸の構造がより簡易なものとなる。更に、操作部（４３）がユーザに押圧されている状態で、前記係合部位（４３２）と前記鞘（５）との係合が解除されるため、鞘（５）の把持部（２）に対する固定の解除が容易になる。
【００１６】
（６）上記機能部は鋸刃であってもよく、手動利器は鋸であってもよい。
【００１７】
鋸は前後方向に動かされて、金属や木材等の固い対象物を切る刃物であるが、上記鋸刃の把持部への取り付け構造によれば、固い対象物を切る前後方向の動作によっても、鋸刃が把持部から抜け落ち難いように、鋸刃を把持部に対して強固に固定することができる。なお、本発明の手動利器には、鋸、包丁、ナイフ、剃刀、彫刻刀等の刃（機能部）を有する手動器具が広く含まれるとともに、ねじ部（機能部）を有するねじ回し等の手動工具や、スプーン、フォーク等の刃を有さない手動器具も含む。本発明の手動利器は、把持部に対して、機能部が取り付け可能なものであれば、如何なるものであってもよい。
【発明の効果】
【００１８】
上記構成によれば、機能部の把持部に対する取り付けが容易に出来るとともに、機能部の把持部に対する取付け構造が簡易な鋸を提供することができる。
【図面の簡単な説明】
【００１９】
【図１】（ａ）は本実施形態に係る鋸の平面図であり、（ｂ）は本実施形態に係る鋸の底面図である。
【図２】（ａ）は鞘を外した状態の本実施形態に係る鋸の平面図であり、（ｂ）は鞘を外した状態の本実施形態に係る鋸の底面図である。
【図３】（ａ）は鞘を外した状態の本実施形態に係る鋸の正面図であり、（ｂ）は鞘を外した状態の本実施形態に係る鋸の背面図である。
【図４】（ａ）は鞘を外した状態の本実施形態に係る鋸の左側面図であり、（ｂ）は鞘を外した状態の本実施形態に係る鋸の右側面図である。
【図５】（ａ）は図２（ｂ）の鋸のＡ−Ａ矢視断面図であり、（ｂ）は図２（ｂ）の鋸において上側鞘部と上側把持部とを外した状態の図である。
【図６】本実施形態に係る鋸の分解図である。
【図７】鋸刃の把持部に対する取り付け方法を示す図である。
【図８】鋸刃の把持部からの取り外し方法を示す図である。
【図９】変形例に係る取付け部を示す図である。
【図１０】変形例に係る取付け部及び取付け用孔を示す図である。
【図１１】変形例に係る取付け部を示す図である。
【発明を実施するための形態】
【００２０】
以下、本発明の好適な一実施形態（本実施形態）について、図面を参照しつつ説明する。本実施形態は、本発明に係る手動利器を替刃式鋸に適用した形態である。
【００２１】
（替刃式鋸の構成）
以下に、図１から図６を参照して、本実施形態に係る替刃式鋸の構成について説明する。図１は、（ａ）は本実施形態に係る鋸の平面図であり、（ｂ）は本実施形態に係る鋸の底面図である。図２（ａ）は、鞘を外した状態の本実施形態に係る鋸の平面図であり、図２（ｂ）は、鞘を外した状態の本実施形態に係る鋸の底面図である。図３（ａ）は、鞘を外した状態の本実施形態に係る鋸の正面図であり、図３（ｂ）は、鞘を外した状態の本実施形態に係る鋸の背面図である。図４（ａ）は鞘を外した状態の本実施形態に係る鋸の左側面図であり、図４（ｂ）は鞘を外した状態の本実施形態に係る鋸の右側面図である。図５（ａ）は図２（ｂ）の鋸のＡ−Ａ矢視断面図であり、図５（ｂ）は図２（ｂ）の鋸において上側鞘部と上側把持部とを外した状態の図である。図６本実施形態に係る鋸の分解図である。
【００２２】
図１及び図２に示すように、本実施形態に係る鋸１は、ユーザが手等で把持するための把持部２と、この把持部２に対して着脱自在に取り付けられる鋸刃３と、鋸刃３を把持部２に着脱自在に取り付ける取付け部４と、鋸刃３の鞘５とを備える。なお、本実施形態では、鋸１は、替刃式鋸であり、鋸刃３が刃こぼれしたとき等に、他の鋸刃３に取り換えることが可能になっているが、替刃式鋸でなくてもよい。以下に、把持部２、鋸刃３、取付け部４、及び鞘５の各部の構成について詳細に説明する。
【００２３】
（鋸の構成：鋸刃３）
まず、鋸刃３の構成について説明する。鋸刃３は、金属製の平板状の部材であり、その一縁に複数の鋸歯が連続的に形成されている。図６で示すように、鋸刃３には、上下方向に貫通孔３１が形成されるとともに、その根元側の縁に切欠き３２が形成されている。
【００２４】
（鋸の構成：把持部２）
把持部２は、図５（ａ）で示すように、鋸刃３の根元を一端側（左端側）から挿入させて、この根元を収容する長尺状のケースであり、上側把持部２１と下側把持部２２とが上下方向から組み合わされて形成されている。上側把持部２１は、上側把持部本体２１２が滑り止めカバー２１１に覆われて形成されている。なお、上側把持部本体２１２は、例えばＡＢＳ樹脂等の樹脂製であり、滑り止めカバー２１１はエラストマー等のゴム製である。上側把持部本体２１２の内側には、補強のための横リブ及び縦リブが複数形成されている。また、上側把持部２１は、鋸刃３の挿入側の一端に上面視で半円状の切欠き２１Ａが形成されている。なお、この切欠き２１Ａは、上側把持部本体２１２における切欠き２１２Ａと滑り止めカバー２１１における切り欠き２１１Ａとから形成されている。
【００２５】
上側把持部本体２１２の内側における切欠き２１Ａの右側には、鋸刃３と取付け部４とが挿入可能な挿入空間２１１０が形成されている。なお、上側把持部本体２１２の内側において挿入空間２１１０と他の空間とは、リブによって仕切られている。鋸刃３が把持部２に取り付けられた状態では、鋸刃３が取付け部４の下に重なるように、すなわち、上側把持部２１と鋸刃３との間に取付け部４が配置されるように、鋸刃３と取付け部４とが挿入空間２１１０に挿入される。これによって、取付け部４の左端部を切欠き２１Ａで係止させて、取付け部４の把持部２への挿入度合が規制できるようになっている。また、上側把持部２１（上側把持部本体２１２）の短手方向の縁において、複数個の係止部が形成されており、この複数個の係止部によって、上側把持部２１は下側把持部２２と係止される。
【００２６】
下側把持部２２は、下側把持部本体２２２が滑り止めカバー２２１に覆われて形成されている。なお、例えば、下側把持部本体２２２は、例えばＡＢＳ樹脂等の樹脂製であり、滑滑り止めカバー２２１は、エラストマー等のゴム製である。下側把持部本体２２２の内側には、補強のための横リブ及び縦リブが複数形成されている。また、下側把持部本体２２２の内側には、一端側（左端側）に挿入空間２２２２が形成されており、上側把持部２１と下側把持部２２とを組み合わせたときに、この挿入空間２２２２と上側把持部本体２１２の挿入空間２１１０とが合わさって、把持部２の左側に開口する挿入孔２Ａが形成され、この開口から鋸刃３の根元と取付け部４とが挿入されるようになっている。なお、挿入空間２２２２の右縁の方が、挿入空間２１１０の右縁よりも右方に形成されており、挿入空間２２２２の右縁部分の下側の位置であって、下側把持部本体２２２の内側に、図５（ｂ）で示すように、鋸刃係止用突起２２２３が形成されている。鋸刃係止用突起２２２３が鋸刃３の根元に形成された切欠き３２内に嵌ることで鋸刃３の根元を係止する。これによって、鋸刃３の根元が鋸刃係止用突起２２２３より右側に挿入されることが防止される。
【００２７】
下側把持部本体２２２には、挿入孔２Ａ（挿入空間２２２２）の内面に開口する平面視で四角形状の取付け用孔２２２１が形成されている。この取付け用孔２２２１には、後述する取付け部４の嵌合部４２が鋸刃３の貫通孔３１に挿通した状態で嵌め入れられ、これによって、鋸刃３が把持部２に固定される。
【００２８】
取付け用孔２２２１は有底孔であり、下側把持部２２（下側把持部本体２２２と滑り止めカバー２２１）におけるこの有底孔の底部には、上下方向の貫通孔２２０が嵌合解除機構として形成されている。貫通孔２２０は、下側把持部本体２２２に形成された貫通孔２２０１と滑り止めカバー２２１に形成された貫通孔２２０１Ａとからなる。貫通孔２２０１は、その内面が下に向かう程内側に傾斜するように形成され、内側の開口面積より外側の開口面積が狭くなっている。また、貫通孔２２０１Ａの外側の開口面積は、貫通孔２２０１の外側の開口面積よりも広くなっている。貫通孔２２０１内に外側から内側に向かって、針やピン等の押し出し部材を挿入することで、嵌合部４２を取付け用孔２２２１から押し出して、嵌合部４２と取付け用孔２２２１との嵌合が解除され、貫通孔２２０は、嵌合部４２と取付け用孔２２２１との嵌合を解除するための嵌合解除機構として機能する。
【００２９】
上記構成によれば、嵌合部４２を取付け用孔４２２１の反対側に押し出す直線的な操作によって、鋸刃３の把持部２に対する取り外しを行うことができる。これによって、この取り外しに要求される操作が容易になる。また、貫通孔２２０を形成するだけの簡易な構造で嵌合解除機構を形成することができる。
【００３０】
下側把持部２２（下側把持部本体２２２）の短手方向の縁において、複数個の係止部が形成されており、この複数個の係止部が上側把持部２１の係止部と係止することによって、下側把持部２２は上側把持部２１と係止されて組み合わされることで、把持部２が構成される。
【００３１】
把持部２の右端には、上下方向に貫通する孔が形成されており、この孔等に紐等を通すことができるようになっている。
【００３２】
（鋸の構成：取付け部４）
取付け部４は、樹脂製の部材であり、図６で示すように、取付け部本体４Ａと、この取付け部本体４Ａから鋸刃３方向に突出度合が可変になるように突出する嵌合部４２とを有する。図６で示すように、取付け部本体４Ａは、ユーザに押圧可能に形成された操作部４３と、操作部４３から右方向に延びて、中央に貫通孔４１Ａが形成された板状の支持部４１とを備える。
【００３３】
（鋸の構成：取付け部４：嵌合部４２）
嵌合部４２は、支持部４１における貫通孔４１Ａの右縁（取付け部本体４Ａ）に延設されてこの右縁から斜め左下方向に延びる可撓性を有する板状の突出片４２１と、この突出片４２１の下端に設けられた突出部位４２２とを有する。突出部位４２２は、突出片４２１の下端から下方に延設されて形成された底面が四角形状の部位であり、この底面部の縦横寸法が鋸刃３の貫通孔３１及び把持部２の取付け用孔２２２１の縦横寸法に合致するように形成されている。これによって、取付け部４の挿入孔２Ａへの挿入によって、挿入孔２Ａの内面で突出部位４２２を押圧させて、突出片４２１を撓ませて、突出部位４２２が取付け用孔２２２１の位置に到達するまで取付け部４を挿入孔２Ａに挿入させ、突出部位４２２が取付け用孔２２２１の位置に到達したときに、突出片４２１の撓みが解除されて突出部位４２２が貫通孔３１及び取り付け用孔２２２１に嵌め入れられる。同様に、突出片４２１を撓ませて突出部位４２２を取付け用孔２２２１から外し、挿入孔２Ａから取付け部４を取り外すことができる。これによって、簡易な構成で、突出部位４２２を取付け用孔２２２１に着脱可能にすることができる。
【００３４】
また、突出片４２１は、その根元が断面視でＵ字状に屈曲されている。これによって、突出片４２１を撓ませて突出部位４２２を取付け用孔２２２１から外し易くなり、鋸刃３の取り外しが容易になる。また、突出片４２１の平坦部位と水平面との間の角度（左側の角度）は、１０度以上２５度未満（本実施形態では、１６度）になっており、これによって、鋸１が固い対象物を切る動作（前後方向の動作）をしても、鋸刃３が把持部２から抜けにくく、かつ、鋸刃３の把持部２からの取り外しも円滑に行うことができる。
【００３５】
（鋸の構成：取付け部４：取付け部本体４Ａ）
取付け部本体４Ａの支持部４１は、その右下部において下方に延設された支持台４１１が形成されている。支持台４１１は、嵌合部４２の突出部位４２２が貫通孔３１及び把持部２の取付け用孔２２２１に嵌った状態で、鋸刃３の上面に当接するようになっている。
【００３６】
操作部４３は、周縁が下方に突出するように形成された円板の上面中央に、円柱４３１が形成された形状を有する。この円柱４３１の右側部分の面が、把持部２における上側把持部２１に形成された切欠き２１Ａの切欠き面に当接することで、この当接位置より右方への取付け部４の挿入孔２Ａへの挿入が規制される。
【００３７】
そして、操作部４３は、その円板の下面中央から延設されて、下方に突出する円筒４３３が形成されており、この円筒４３３内に例えばバネ等の付勢手段４３４が嵌め入れられる。この付勢手段４３４は、その上端が操作部４３の円板の下面に当接され、下端が鋸刃３の上面に当接される。これによって、操作部４３は、鋸刃３に面する部位に、鋸刃３と反対方向に操作部４３を付勢する付勢手段４３４を有することとなる。操作部４３における円柱４３１の左方に（操作部４３の前記鋸刃３に面する部位の反対面側に）、上方に突出する突起４３２が形成されており、突起４３２が鞘５の縁と係合可能になっている。操作部４３の円柱４３１の上面がユーザの指等で押圧されると、操作部４３が下方向に移動して、突起４３２と鞘５の縁との係合が解除され、この指等の押圧が解除されると、操作部４３が付勢手段４３４の付勢力によって上方向に移動して、突起４３２と鞘５の縁とが係合される。この様に、取付け部４を、鋸刃３を把持部２に取り付ける構成としてだけでなく、鞘５を把持部２に固定する構成としても利用することで、別に鞘５を把持部２に固定する構成を設ける必要がなくなり、鋸１の構造がより簡易なものとなる。
【００３８】
なお、操作部４３の下縁の上下方向における位置は、支持部４１の支持台４１１の下縁上下方向における位置と同じかそれ以上であることが好ましい。これによって、操作部４３の押圧操作が好適に行うことができる。
【００３９】
（鋸の構成：鞘５）
図１、図５（ａ）及び図６で示すように、鞘５は、右端に開口する孔が形成されており、この孔に鋸刃３の把持部２からの突出部分を挿入させることで鋸刃３の突出部分を覆う。鞘５は、上側鞘部５１と下側鞘部５２とを上下方向から組み合わせて固定されてなる。上側鞘部５１と下側鞘部５２は例えば樹脂製であり、上側鞘部５１と下側鞘部５２との内側には、複数の補強リブが形成されている。上側鞘部５１の右端部分には、平面視で半円状の切欠き５Ａが形成されており、この切欠き５Ａの縁には、係止用突起５１７が形成されている。操作部４３の円柱４３１がユーザの指等で鋸刃３方向に押圧された状態で、鞘５が鋸刃３に取り付けられると、鞘５の切欠き５Ａの縁面に、取付け部４の円柱４３１の左側部分の面が当接する。この当接状態で、円柱４３１の押圧を解除すると、係止用突起５１７と取付け部４における突起４３２とが係合することで、鞘５が把持部２に固定されるようになっている。
【００４０】
（鋸の組み立て方法）
以下に、図５及び図６を用いて、鋸１の組み立て方法を説明する。上側鞘部５１と下側鞘部５２とを組み合わせて固定して、鞘５を形成する。そして、上側把持部本体２１２と下側把持部本体２２２とをその短手方向の縁で係合させて組み合わせる。更に、上側把持部本体２１２の表面（上面）に滑り止めカバー２１１を取り付け、下側把持部本体２２２の表面（下面）に滑り止めカバー２２１を取り付けて、把持部２を形成する。そして、後述する、鋸刃３の把持部２への取り付け方法によって、鋸刃３を把持部２へ取り付ける。その後に、取付け部４の円柱４３１の上面を指等で押圧しながら、鞘５を鋸刃３に取り付け、取付けが終わったら、円柱４３１の押圧を解除して、鞘５を取付け部４によって把持部２に固定する。
【００４１】
（鋸刃の把持部への取り付け方法）
以下に、図７を用いて、鋸刃３の把持部２に対する取り付け方法を説明する。図７は、鋸刃３の把持部２に対する取り付け方法を示す図である。図７（ａ）で示すように、鋸刃３の根元を挿入孔２Ａに挿入する。次に、図７（ｂ）で示すように、取付け部４の嵌合部４２における突出部位４２２を刃物３の貫通孔３１に内に上方から嵌め入れる。そして、取付け部４と鋸刃３とを重ねた状態で、挿入孔２Ａに更に挿入する。このときには、挿入孔２Ａの内面に押圧されて突出片４２１が撓み、支持部４１の貫通孔４１Ａ内に突出部位４２２が嵌り込む。これによって、嵌合部４２の突出度合いが、取付け部４の挿入孔２Ａへの挿入を妨げない程度になり、取付け部４の支持部４１と嵌合部４２とが挿入孔２Ａに挿入できるようになっている。
【００４２】
そして、図７（ｃ）で示すように、挿入空間２２２２の右縁まで挿入されて、鋸刃３の根元に形成された切欠き３２内に、鋸刃係止用突起２２２３が嵌るまで、鋸刃３の根元は挿入される。この状態では、鋸刃３の貫通孔３１と取付け部４の嵌合部４２（突出部位４２２）が、把持部２の取付け用孔２２２１に重なった状態になり、これによって、取付け部４の突出部位４２２は、挿入孔２Ａの内面に押圧されなくなる。このため、嵌合部４２の突出度合いは、挿入孔２Ａの内面に押圧されていたときより、大きくなる。この状態では、取付け部４の嵌合部４２（突出部位４２２）が鋸刃３の貫通孔３１に挿通され、かつ、取付け部４における貫通孔３１からの突出部位４２２が把持部２の挿入孔２Ａに形成された取付け用孔２２２１に嵌って、取付け部４によって鋸刃３が把持部２に取り付けられる。この様に、把持部２の挿入孔２Ａ内に鋸刃３と取付け部４とを挿入するだけで、鋸刃３が把持部２に取り付けられ、鋸刃３の把持部２に対する取り付けを容易に行うことができる。また、取付け部４の嵌合部４２（突出部位４２２）を、鋸刃３の貫通孔３１と把持部２の取付け用孔２２２１とに嵌合させるだけの簡易な構成で、鋸刃３を把持部２に取り付けることができるため、鋸刃３の把持部２に対する取付け構造が簡易になる。
【００４３】
（鋸刃の把持部からの取り外し方法）
以下に、図８を用いて、鋸刃３の把持部２に対する取り外し方法を説明する。図８は、鋸刃の把持部からの取り外し方法を示す図である。図８（ａ）で示すように、貫通孔２２０内に外側から内側に向かって、針等の押し出し部材を挿入する。これによって、嵌合部４２（突出部位４２２）を取付け用孔２２２１から押し出して、嵌合部４２（突出部位４２２）と取付け用孔２２２１との嵌合が解除される。この解除状態で、図８（ｂ）で示すように、取付け部４と鋸刃３とを挿入孔２Ａから引き出していき、図８（ｃ）で示すように、取付け部４と鋸刃３を挿入孔２Ａから完全に引き出して、鋸刃３を把持部２から取り外す。なお、把持部２に対して、新しい鋸刃３を取り付ける場合には、図７を用いて上述した方法が用いられる。
【００４４】
上述した本実施形態の構成によれば、取付け部４が把持部２の挿入孔２Ａに挿入されると、取付け部４の嵌合部４２が挿入孔２Ａの内面に押圧されて、この嵌合部４２の突出度合いが、取付け部４の挿入孔２Ａへの挿入を妨げない程度になる。そして、鋸刃３と取付け部４が把持部２の挿入孔２Ａに挿入された状態において、鋸刃３の貫通孔３１と把持部２の取付け用孔２２２１と取付け部４の嵌合部４２とが重なった状態になると、取付け部４の嵌合部４２は、挿入孔２Ａの内面に押圧されなくなる。このため、嵌合部４２の突出度合いは、挿入孔２Ａの内面に押圧されていたときより、突出度合が大きくなる。この状態では、取付け部４の嵌合部４２が鋸刃３の貫通孔３１に挿通され、かつ、取付け部４における貫通孔３１からの突出部位４２２が把持部２の挿入孔２Ａに形成された取付け用孔２２２１に嵌ることで、取付け部４によって鋸刃３が把持部２に取り付けられる。これによって、把持部２の挿入孔２Ａ内に鋸刃３と取付け部４とを挿入するだけで、鋸刃３が把持部２に取り付けられ、鋸刃３の把持部２に対する取り付けを容易に行うことができる。また、取付け部４の嵌合部４２を、鋸刃３の貫通孔３１と把持部２の取付け用孔２２２１とに嵌合させるだけの簡易な構成で、鋸刃３を把持部２に取り付けることができるため、鋸刃３の把持部２に対する取付け構造が簡易になる。
【００４５】
（変形例）
（１）本実施形態では、貫通孔２２０が、嵌合部４２（突出部位４２２）と取付け用孔２２２１との嵌合を解除するための嵌合解除機構があるが、嵌合解除機構は貫通孔２２０でなくてもよい。嵌合解除機構は、取付け部４の嵌合部４２（突出部位４２２）を把持部２の取付け用孔２２２１から押し出して、嵌合部４２（突出部位４２２）と取付け用孔２２２１との嵌合を解除することが出来れば如何なる機構を採用してもよい。例えば、把持部２における取付け用孔２２２１の下方に、操作ボタンを配置し、この操作ボタンの押圧によって操作ボタンの根元を取付け用孔２２２１内に突出させて、嵌合部４２（突出部位４２２）を把持部２の取付け用孔２２２１から押し出してもよい。
【００４６】
（２）本実施形態では、突出片４２１は、取付け部本体４Ａから斜め左下方向に延びるように形成されているが、図９で示すように、嵌合部４２´において、下端に突出部位４２２´を有する突出片４２１´が取付け部本体４Ａから斜め右下方向に延びるように形成されてもよい。突出片４２１は、取付け部本体４Ａから斜め下方向に延びるように形成されていれば、どのように形成されていてもよい。
【００４７】
（３）本実施形態では、突出片４２１を撓ませることで、嵌合部４２（突出部位４２２）の鋸刃３方向への突出度合を可変としているが、突出片４２１を用いずに嵌合部（突出部位４２２）の鋸刃３方向への突出度合を可変としてもよい。例えば、取付け部本体４Ａの下方にバネ等の一端が取り付けられ、このバネ等の他端が突出部位４２２に取り付けられることで、嵌合部（突出部位４２２）の突出度合を可変としてもよい。
【００４８】
（４）また、図１０及び図１１で示すように、嵌合部４２´´において、突出部位４２２´´の底面における左端に、下方に延びる爪４２３が形成されていてもよい。この爪４２３は、突出部位４２２´´の底面の左縁において、前後方向に亘って形成されており、この前後方向の中央に切欠きを有する。この様に、突出部位４２２´の底面左縁に爪４２３が形成されていることで、爪４２３が取付け用孔２２２１の左上縁に引っ掛かり、ユーザの意思に反して（ユーザが把持部２から鋸刃３を取り外す操作をしていないにもかかわらず）、突出部位４２２´´が取り付け用孔２２２１´から外れることが防止される。
爪４２３は、左右方向に沿って垂直に切断する断面が、三角形であり、三角形の一つの頂点が下端となっている。なお、この三角形のうち、左側の辺よりも右側の辺の方の傾斜度合いが大きくなっている。図１１で示すように、左側の辺と水平面（三角形の下端に接する水平面）との間の左側の角度は５０度以上７０度未満となっており（本実施形態では６０度）、右側の辺と水平面（三角形の下端に接する水平面）との間の右側の角度は３０度以上５０度未満となっている（本実施形態では４５度）。この様な角度に形成されることで、鋸刃３の把持部２への着脱時には、爪４２３が引っ掛かることなく、突出部４２２´を取り付け用孔２２２１´に嵌め入れ、取り外しすることができ、また、挿入孔２Ａ内に挿入、取り外しすることができる。
なお、把持部３の取り付け用孔２２２１´内には、補強のために、平面視において十字状のリブ２２２１´´が形成されているが、上述したように、爪４２３に切り欠きが形成されているため、爪４２３がリブ２２２１´´に当たることなく、突出部位４２２´を取り付け用孔２２２１´に嵌め入れることができる。
【００４９】
（５）また、図１０で示すように、突出片４２１´´の根元がＵ字状に形成されておらず、平坦であってもよい。本実施形態では、突出片４２１の根元がＵ字状に形成されていることで、突出片４２１を撓ませて突出部位４２２を取り付け用孔２２２１から抜けやすくして、鋸刃３の取り外しを容易にすることができるという利点があるが、図１０で示す変形例では、突出片４２１´´の根元がＵ字状に形成されていないことで、ユーザが鋸刃３を取り外す操作をしていないにもかかわらず、突出片４２１´´が撓んで突出部位４２２´´が取り付け用孔２２２１´から抜けてしまうことが防止されるという利点がある。鋸１は、金属、木材等の硬質な対象物を前後方向の動作で切る手動利器であるため、鋸刃３を挿入孔２から引き出す強い力がかかる。このため、鋸１においては、切断する対象物によっては、本変形例のように、突出片４２１の根元がＵ字状に形成せず、平坦にすることが好ましい場合がある。
【００５０】
（６）本実施形態では、本発明に係る手動利器を鋸１に適用しているが、本発明は鋸１に限定されず、他の手動利器に適用してもよい。機能部を把持部に取り付ける構成を備える手動利器であれば、如何なる手動利器であっても本発明を適用することができる。手動利器とは、例えば、鋸、包丁、ナイフ、剃刀、彫刻刀等の刃（機能部）を有する手動器具が広く含まれるとともに、ねじ部（機能部）を有するねじ回し等の手動工具や、スプーン、フォーク等の刃を有さない手動器具も含む。
【符号の説明】
【００５１】
１                      鋸（手動利器の一例）
２                      把持部
２２０                  貫通孔（嵌合解除機構の一例）
２２２１                取付け用孔
２Ａ                    挿入孔
３                      鋸刃（機能部の一例）
３１                    貫通孔
４                      取付け部
４２                    嵌合部
４２１                  突出片
４２２                  突出部位
４３                    操作部
４３２                  突起（係合部位）
５                      鞘
【図１】
0006486203.tif 000002
【図２】
0006486203.tif 000003
【図３】
0006486203.tif 000004
【図４】
0006486203.tif 000005
【図５】
0006486203.tif 000006
【図６】
0006486203.tif 000007
【図７】
0006486203.tif 000008
【図８】
0006486203.tif 000009
【図９】
0006486203.tif 000010
【図１０】
0006486203.tif 000011
【図１１】
0006486203.tif 000012